(57)【特許請求の範囲】
【請求項１】
人体検出手段や明るさ検出手段のような検出手段を１つ又は複数備え、それらの情報に基づき照明器具の点灯状態を制御する照明制御装置と、この照明制御装置の制御値や制御状態を設定する設定手段からなる照明システムにおいて、前記設定手段は、照明制御装置の制御に用いる検出手段の組合せや制御タイプに応じた設定手段に切り替え可能であり、設定手段の機能切り替えのための切替手段は設定手段とは別に設けられており、この設定手段の機能切り替えのための切替手段は、その設定手段が設定する照明制御装置に設けられていることを特徴とする照明システム。
【請求項２】
人体検出手段や明るさ検出手段のような検出手段を１つ又は複数備え、それらの情報に基づき照明器具の点灯状態を制御する照明制御装置と、この照明制御装置の制御値や制御状態を設定する設定手段からなる照明システムにおいて、前記設定手段は、照明制御装置の制御に用いる検出手段の組合せや制御タイプに応じた設定手段に切り替え可能であり、設定手段の機能切り替えのための切替手段は設定手段とは別に設けられており、照明制御装置の設定をする設定手段とは別の無線による設定手段により制御タイプを示す無線信号が送信され、それを受信した照明制御装置の設定をする設定手段がそのタイプに応じた設定手段に切り替わることを特徴とする照明システム。
【請求項３】
人体検出手段や明るさ検出手段のような検出手段を１つ又は複数備え、それらの情報に基づき照明器具の点灯状態を制御する照明制御装置と、この照明制御装置の制御値や制御状態を設定する設定手段からなる照明システムにおいて、前記設定手段は、照明制御装置の制御に用いる検出手段の組合せや制御タイプに応じた設定手段に切り替え可能であり、設定手段の機能切り替えのための切替手段は設定手段とは別に設けられており、照明制御装置の設定をする設定手段ではあるが、他の設定手段の設定タイプを切り替える手段を有する設定手段によって、設定タイプを示す信号が送信され、その信号を受信した照明制御装置の設定をする設定手段がそのタイプに応じた設定手段に切り替わることを特徴とする照明システム。
【請求項４】
人体検出手段や明るさ検出手段のような検出手段を１つ又は複数備え、それらの情報に基づき照明器具の点灯状態を制御する照明制御装置と、この照明制御装置の制御値や制御状態を設定する設定手段からなる照明システムにおいて、前記設定手段は、照明制御装置の制御に用いる検出手段の組合せや制御タイプに応じた設定手段に切り替え可能であり、設定手段の機能切り替えのための切替手段は設定手段とは別に設けられており、照明制御装置の設定をする設定手段にメモリなどを連結させることにより制御タイプに応じた設定手段に切り替わることを特徴とする照明システム。
【請求項５】
設定手段が照明制御装置に制御タイプを問い合わせる信号を送信し、その信号を受信した照明制御装置から制御タイプを示す信号が送信され、その制御タイプを示す信号を受信した設定手段がそのタイプに応じた設定手段に切り替わることを特徴とする請求項１記載の照明システム。
【請求項６】
設定手段は照明制御装置に無線信号で設定内容を伝送することを特徴とする請求項１〜５のいずれかに記載の照明システム。
【請求項７】
照明制御装置は少なくとも信号受信部を有し、設定手段は少なくとも信号送信部を有することを特徴とする請求項１〜５のいずれかに記載の照明システム。
【請求項８】
照明制御装置と設定手段は共に信号受信部と信号送信部を有することを特徴とする請求項１〜５のいずれかに記載の照明システム。
【請求項９】
設定手段が制御タイプに応じた設定手段に切り替わると、必要な項目しか設定できないようにしたことを特徴とする請求項１〜８のいずれかに記載の照明システム。
【請求項１０】
設定手段が制御タイプに応じた設定手段に切り替わると、その設定手段が備える設定内容など表示する表示手段の表示内容が制限されるか、または、操作が制限されることを特徴とする請求項１〜８のいずれかに記載の照明システム。
【発明の詳細な説明】
【０００１】
【発明の属する技術分野】
本発明は人感センサや明るさセンサを用いて照明制御することにより省エネ効果や利便性を向上させた照明システムに関するものである。
【０００２】
【従来の技術】
従来、照明器具や制御装置ならびにそれらの設定や操作をするリモコンに、アドレスを設定する手段を有するものがあった。信号を送りたい照明器具や制御装置のアドレスと同じアドレスにリモコン側も設定して送信すると、そのアドレスを有する照明器具や制御装置のみが信号を受信することができる。これは、送信される信号にアドレスデータが含まれており、受信側は同一のアドレスデータを有する信号のみ受け付けるように制限しているものである。例えば、図２３において、リモコンからアドレス１を含む信号を送信すると、アドレス１の器具は信号を受け付けるが、アドレス２の器具は信号を受け付けない。この技術は、設定や操作をしたい器具や装置に向かって、ある信号を送信した時に、無線信号が干渉して、隣り合う器具や装置もその信号を受信して制御状態や設定内容が変わることを防ぐためのものであった。
【０００３】
【発明が解決しようとする課題】
例えば、オフィスなど、用途によって異なる制御を行う照明制御装置を設置することがある。それらの設定や操作をワイヤレスリモコンで行うことができるようにする場合、照明制御装置の制御タイプごとに設定項目や操作項目が異なるため、すべての制御タイプの設定項目や操作項目を網羅したリモコンにすると、必要のない機能がリモコンに設けられているため、リモコン操作に混乱をきたす恐れがある。また、各制御タイプ専用のリモコンの場合、リモコン操作の混乱は解消されるが、設置した制御タイプの数だけリモコンが必要になる。
【０００４】
本発明は、これらの問題を解消することを課題とするものであり、リモコンの操作を混乱させることなくリモコンの数の増加を防止できるようにした照明システムを提供するものである。
【０００５】
【課題を解決するための手段】
請求項１の発明によれば、人体検出手段や明るさ検出手段のような検出手段を１つ又は複数備え、それらの情報に基づき照明器具の点灯状態を制御する照明制御装置と、この照明制御装置の制御値や制御状態を設定する設定手段からなる照明システムにおいて、前記設定手段は、照明制御装置の制御に用いる検出手段の組合せや制御タイプに応じた設定手段に切り替え可能であり、設定手段の機能切り替えのための切替手段は設定手段とは別に設けられており、この設定手段の機能切り替えのための切替手段は、その設定手段が設定する照明制御装置に設けられていることを特徴とするものである。
【０００６】
請求項２の発明によれば、図２４に示すように、照明制御装置の設定をする設定手段とは別の無線による設定手段により制御タイプを示す無線信号が送信され、それを受信した照明制御装置の設定をする設定手段がそのタイプに応じた設定手段に切り替わるようにしたことを特徴とする。
【０００７】
請求項３の発明によれば、図２５に示すように、照明制御装置の設定をする設定手段ではあるが、他の設定手段の設定タイプを切り替える手段を有する設定手段によって、設定タイプを示す信号が送信され、その信号を受信した照明制御装置の設定をする設定手段がそのタイプに応じた設定手段に切り替わるようにしたことを特徴とする。
請求項４の発明によれば、図２６に示すように、照明制御装置の設定をする設定手段にメモリなどを連結させることにより制御タイプに応じた設定手段に切り替わるようにしたことを特徴とする。
【０００８】
請求項５の発明によれば、図２７に示すように、設定手段が照明制御装置に制御タイプを問い合わせる信号を送信し、その信号を受信した照明制御装置から制御タイプを示す信号が送信され、その制御タイプを示す信号を受信した設定手段がそのタイプに応じた設定手段に切り替わるようにしたことを特徴とする。
【０００９】
【発明の実施の形態】
（実施形態１）
図１は本発明の実施形態１の照明システムの構成図である。図中、１は照明器具、２照明制御装置、３はリモコンである。照明制御装置２は人体検出手段や明るさ検出手段のような検出手段を１つ又は複数備え、それらの情報に基づき照明器具１の点灯状態を制御する。また、照明制御装置２はリモコン３からの信号を受信するための信号受信部を有する。リモコン３は信号送信部を有し、照明制御装置２の制御内容を設定したり、手動操作したりすることができる。照明制御装置２は、具備するセンサの組合せや数などにより制御タイプが異なる。そして、制御タイプが異なると、当然、その設定及び操作の内容も異なる。リモコン３は、各制御タイプ専用の設定及び操作のみに限定できるように切り替える手段を備える。
【００１０】
例えば、図２の例では、リモコン３が各制御タイプ専用になるために切り替える手段として、リモコン３に備えられたタイプ切替スイッチ４を用いている。図示された例では、タイプ０専用となっているが、タイプ切替スイッチ４を操作することにより、タイプ１、タイプ２、タイプ３専用にそれぞれ切り替えることができる。
【００１１】
また、図３の例では、リモコン３が各制御タイプ専用になるために切り替える手段として、リモコン３に備えられたタイプ切替ボタン５を用いている。リモコン３に具備された表示手段６にタイプが表示される。図示された例では、タイプ０専用となっているが、タイプ切替ボタン５を操作することにより、表示手段６における表示がタイプ０→タイプ１→タイプ２→タイプ３→タイプ０のように切り替わる。
【００１２】
次に、図４の例では、リモコン３が各制御タイプ専用になるために切り替える手段として、リモコン３に備えられた操作・設定用ボタン５ａ〜５ｃを兼用している。これらのボタン５ａ〜５ｃは、照明制御装置２の設定や手動操作を行う際に使用する操作ボタンであるが、これらの複数のボタンをある特定の操作、順番で操作することにより制御タイプが切り替わる。例えば、ボタン５ａを２秒以上押した後、ボタン５ｂを押す→ボタン５ｃを押す→ボタン５ａと５ｂを同時に押す、という手順で操作すれば、タイプ２専用のリモコンになるなど、通常の操作では使用しないような手順を用いてボタン５ａ〜５ｃを操作することにより制御タイプを切り替える。
【００１３】
次に、図５の例では、リモコン３が各制御タイプ専用になるために切り替える手段として、タイプ切替用の専用リモコン７からの信号を受信すると対応するタイプが切り替わるようにする。この場合、リモコン３は、信号送信部と信号受信部を共に有し、タイプ切替用の専用リモコン７からの信号を受信できる必要がある。制御タイプを切り替えようとする操作者Ｍは、タイプ切替用の専用リモコン７の送信部とリモコン３の受信部とを向かい合わせて操作するものである。図６に示すように、タイプ切替用リモコン７からタイプ０専用への切替信号を送信すると、設定及び操作用のリモコン３はタイプ０専用に切り替わる。同様に、タイプ１、２、３専用への切替信号を送信した場合には、設定及び操作用のリモコン３はタイプ１、２、３専用にそれぞれ切り替わる。
【００１４】
次に、図７の例では、リモコン３が各制御タイプ専用になるために切り替える手段として、タイプ切替のための専用カートリッジ８を設定及び操作用のリモコン３に接続すると、リモコン３の対応する制御タイプが切り替わるようにする。専用カートリッジ８には例えばメモリが内蔵されており、設定及び操作用のリモコン３は専用カートリッジ８から読み込んだ情報により制御タイプが切り替わる。例えば、タイプ０の専用カートリッジを接続すると、設定及び操作用のリモコン３はタイプ０専用に切り替わる。同様に、タイプ１、２、３の専用カートリッジを接続した場合には、設定及び操作用のリモコン３はタイプ１、２、３専用にそれぞれ切り替わる。
【００１５】
また、リモコンは、図８に示すように、各制御タイプ専用から、すべてのタイプの設定や手動操作に対応できる全機能型のリモコンに切り替えることもできるようにしても良い。ただし、全タイプ用のリモコンを用いた場合、照明制御装置の制御タイプによっては、全タイプ用のリモコンから送信される信号の種類によっては、信号を受け付けないものもある。例えば、明るさセンサを持たず、明るさのフィードバック制御が出来ない制御タイプの照明制御装置に、明るさの設定値を送信したような場合、信号を受け付けることができない。このような受け付け不可の信号が受信された場合、そのことを可視光ＬＥＤ表示などで報知する手段を設けても良い。
【００１６】
本実施形態によれば、複数の制御タイプの照明制御装置に１機種のリモコンで対応することができ、かつ、各制御タイプごとの設定や操作内容に限定したリモコンにすることができ、必要のない機能を排除することが可能で、リモコンの操作者が混乱なく操作することができる。
【００１７】
（実施形態２）
図９および図１０は本発明の実施形態２の照明システムの構成図である。図中、１は照明器具、２照明制御装置、３はリモコンである。照明制御装置２は、複数のセンサと、リモコン信号の受信部および送信部と、センサの出力に基づいて複数の照明器具１の点灯レベルを制御する調光信号を出力する制御部とを備えている。リモコン３は、リモコン信号の送信部および受信部と、表示手段、画面切替手段、信号送信手段を備えており、照明制御装置２の制御内容の設定や手動操作のための信号を送信できるほか、制御タイプの問い合わせ信号を送信したり、その問い合わせ信号に対する返信信号を受信できるようになっている。照明制御装置２のセンサには、明るさセンサや人感センサなどがあり、センサの組合せなどにより制御タイプが異なる。リモコン３は、照明制御装置２の制御タイプ専用の設定及び操作に対応することができ、リモコン３のタイプは照明制御装置２により切り替えられる。
【００１８】
図９および図１０の＃１〜＃６は制御タイプの問い合わせ動作のステップを示している。まず、図９の＃１のように、タイプ問い合わせ信号を送信する操作をすると、＃２のように、リモコンからタイプ問い合わせ信号が送信され、＃３のように、照明制御装置の信号受信部でタイプ問い合わせ信号が受信される。これに対して、図１０の＃４のように、照明制御装置の信号送信部から制御タイプ返信信号が送信される。＃５のように、照明制御装置からの制御タイプの返信信号をリモコンの信号受信部で受信すると、リモコンは、＃６のように、その信号の内容に応じた制御タイプのリモコンになる。
【００１９】
本実施形態によれば、リモコン３で設定及び操作したい照明制御装置２に直接問い合わせて照明制御装置２からの返信信号によりリモコン３の制御タイプを切り替えるため、実施形態１の効果に加え、設置されている照明制御装置２の制御タイプが不明な場合でも、確実に対応するタイプにリモコン３を切り替えることができる効果がある。
【００２０】
（実施形態３）
図１１〜１４は、本発明の実施形態３の照明システムにおける第１〜第１６の制御タイプの照明制御装置の構成を示している。また、図１５はこれらの各制御タイプの照明制御装置に適合できるリモコンの構成を示している。図１５のリモコン３は、リモコン信号の信号送信部３１と信号受信部３２、表示手段３３、画面切替手段３４、信号送信手段３５を備えている。表示手段３３は図１６〜図１９に示すような表示画面群を表示する手段であり、画面切替手段３４は表示画面群を切り替えるための操作ボタンである。また、信号送信手段３５はその表示内容に応じた信号を送信するための操作ボタンである。このリモコン３は、各制御タイプの設定及び操作に対応することができ、実施形態１や２などの方法で、各制御タイプ専用の設定及び操作のみに限定することができる。
【００２１】
図１１〜図１４に示すように、使用するセンサの数や組合せによって、照明制御装置のタイプすなわち制御タイプも異なる。各制御タイプは制御の内容が異なるが、共通する制御もある。例えば、人感センサを備える照明制御装置では、その検出情報に基づき、人がいるときは高出力点灯、人がいないときは、低出力点灯となるような制御をする場合、高出力点灯時と低出力点灯時の点灯レべルや、非検知状態になってから高出力点灯レべルを維持する保持時間、高出力点灯から低出力点灯へ点灯状態が移行するときのフェードカーブ又はフェード時間、低出力点灯から高出力点灯に移行するときのフェードカーブ又はフェード時間などが設定内容となる。また、明るさセンサでは、その検出値に基づき、ある明るさ以上のときに人感センサ制御を許可するという制御をする場合、人感センサ制御を許可する明るさの値、明るさ検出値が一定になるように点灯状態をフィードバック制御する場合、その一定にする明るさ検出値などが設定内容となる。これらは、各タイプに共通する項目であったり、該当しない項目であったりする。
【００２２】
そこで、図１５のリモコン３は、図１６に示すような表示画面群を備え、すべての制御タイプ０〜Ｆに必要な設定内容、及び、すべてのセンサによる制御に必要な設定内容を表示し且つ設定できる機能を備えているが、各タイプ専用に切り替えられると、表示される画面は図１７〜図１９に例示するように限定される。例えば、図１１のタイプ０、図１３のタイプ８、図１４のタイプＥの照明制御装置の設定及び操作をするための専用のリモコンとなった後は、これらの照明制御装置が備えるセンサの組み合わせに応じて、タイプ０専用、タイプ８専用、タイプＥ専用の設定内容のみが表示可能となる。
【００２３】
（実施形態４）
図２０は本発明の実施形態４の照明システムに用いるリモコンの構成図である。このリモコンは例えば図１１に示すタイプ０〜３の照明制御装置に適合できるものとする。リモコン３は、リモコン信号の信号送信部３１および信号受信部３２と、表示手段３３、及び操作ボタン▲１▼〜▲５▼を備えており、各制御タイプの設定及び操作に対応することができ、実施形態１や２などの方法で、各制御タイプ専用の設定及び操作のみに限定することができるものとする。操作ボタン▲１▼〜▲５▼の機能はリモコンのタイプによって異なる。例えば、ボタン▲１▼ではタイプ０、１、２、３に共通する信号が送信される。ボタン▲２▼ではタイプ０、１に共通する信号が送信される。ボタン▲３▼ではタイプ２、３に共通する信号が送信される。ボタン▲４▼ではタイプ０、２に共通する信号が送信される。ボタン▲５▼ではタイプ１、３に共通する信号が送信されるものとする。
【００２４】
いま、図２０のリモコン３がタイプ０専用になっているときに、図２１に示すように、ボタン▲１▼、▲２▼または▲４▼を押すと所定の信号が送信されると共に、その送信時には送信マークが表示される。一方、ボタン▲３▼または▲５▼を操作しても信号は送信されず、信号の送信マークも表示されない。
【００２５】
次に、図２０のリモコン３がタイプ２専用になっているときには、図２２に示すように、ボタン▲１▼、▲３▼または▲４▼を押すと所定の信号が送信されると共に、その送信時には送信マークが表示される。一方、ボタン▲２▼や▲５▼を操作しても信号は送信されず、信号の送信マークも表示されない。
【００２６】
【発明の効果】
本発明によれば、人体検出手段や明るさ検出手段のような検出手段を１つ又は複数備え、それらの情報に基づき照明器具の点灯状態を制御する照明制御装置と、この照明制御装置の制御値や制御状態を設定する設定手段からなる照明システムにおいて、前記設定手段は、照明制御装置の制御に用いる検出手段の組合せや制御タイプに応じた設定手段に切り替え可能としたものであり、特に、請求項１〜５の発明によれば、設定手段の機能切り替えのための切替手段は設定手段とは別に設けられており、請求項１の発明では、この設定手段の機能切り替えのための切替手段は、その設定手段が設定する照明制御装置に設けられており、請求項２の発明では、照明制御装置の設定をする設定手段とは別の無線による設定手段により制御タイプを示す無線信号が送信され、それを受信した照明制御装置の設定をする設定手段がそのタイプに応じた設定手段に切り替わるようにしたものであり、請求項３の発明によれば、照明制御装置の設定をする設定手段ではあるが、他の設定手段の設定タイプを切り替える手段を有する設定手段によって、設定タイプを示す信号が送信され、その信号を受信した照明制御装置の設定をする設定手段がそのタイプに応じた設定手段に切り替わるようにしたものであり、請求項４の発明によれば、照明制御装置の設定をする設定手段にメモリなどを連結させることにより制御タイプに応じた設定手段に切り替わるようにしたものであり、請求項５の発明によれば、設定手段が照明制御装置に制御タイプを問い合わせる信号を送信し、その信号を受信した照明制御装置から制御タイプを示す信号が送信され、その制御タイプを示す信号を受信した設定手段がそのタイプに応じた設定手段に切り替わるようにしたものであり、いずれもリモコンの操作を混乱させることなく、リモコンの数の増加を防止できるという効果がある。
【図面の簡単な説明】
【図１】本発明の実施形態１の照明システムの全体構成を示す説明図である。
【図２】本発明の実施形態１に用いるリモコンの一例を示す説明図である。
【図３】本発明の実施形態１に用いるリモコンの他の一例を示す説明図である。
【図４】本発明の実施形態１に用いるリモコンの別の一例を示す説明図である。
【図５】本発明の実施形態１に用いるリモコンのタイプ設定方法の一例を示す説明図である。
【図６】本発明の実施形態１に用いるリモコンのタイプ設定の様子を示す説明図である。
【図７】本発明の実施形態１に用いるリモコンのタイプ設定方法の他の一例を示す説明図である。
【図８】本発明の実施形態１に用いるリモコンのタイプ切替の様子を示す説明図である。
【図９】本発明の実施形態２の照明システムにおける制御タイプの問い合わせ動作を示す説明図である。
【図１０】本発明の実施形態２の照明システムにおける制御タイプの返信動作を示す説明図である。
【図１１】本発明の実施形態３の照明システムにおける第１〜第４の制御タイプの照明制御装置の構成を示す説明図である。
【図１２】本発明の実施形態３の照明システムにおける第５〜第８の制御タイプの照明制御装置の構成を示す説明図である。
【図１３】本発明の実施形態３の照明システムにおける第９〜第１２の制御タイプの照明制御装置の構成を示す説明図である。
【図１４】本発明の実施形態３の照明システムにおける第１３〜第１６の制御タイプの照明制御装置の構成を示す説明図である。
【図１５】本発明の実施形態３の照明システムにおける第１〜第１６の制御タイプの照明制御装置に適合するリモコンの構成を示す説明図である。
【図１６】図１５のリモコンの表示画面群を示す説明図である。
【図１７】図１５のリモコンをタイプ０専用としたときの表示画面群を示す説明図である。
【図１８】図１５のリモコンをタイプ８専用としたときの表示画面群を示す説明図である。
【図１９】図１５のリモコンをタイプＥ専用としたときの表示画面群を示す説明図である。
【図２０】本発明の実施形態４の照明システムにおけるリモコンの構成を示す説明図である。
【図２１】図２０のリモコンをタイプ０専用としたときの動作を示す説明図である。
【図２２】図２０のリモコンをタイプ２専用としたときの動作を示す説明図である。
【図２３】従来例の説明図である。
【図２４】請求項１１の発明の説明図である。
【図２５】請求項１２の発明の説明図である。
【図２６】請求項１３の発明の説明図である。
【図２７】請求項１４の発明の説明図である。
【符号の説明】
１    照明器具
２    照明制御装置
３    リモコン
４    タイプ切替スイッチ
【図１】
0003812331.tif 000002
【図２】
0003812331.tif 000003
【図３】
0003812331.tif 000004
【図４】
0003812331.tif 000005
【図５】
0003812331.tif 000006
【図６】
0003812331.tif 000007
【図７】
0003812331.tif 000008
【図８】
0003812331.tif 000009
【図９】
0003812331.tif 000010
【図１０】
0003812331.tif 000011
【図１１】
0003812331.tif 000012
【図１２】
0003812331.tif 000013
【図１３】
0003812331.tif 000014
【図１４】
0003812331.tif 000015
【図１５】
0003812331.tif 000016
【図１６】
0003812331.tif 000017
【図１７】
0003812331.tif 000018
【図１８】
0003812331.tif 000019
【図１９】
0003812331.tif 000020
【図２０】
0003812331.tif 000021
【図２１】
0003812331.tif 000022
【図２２】
0003812331.tif 000023
【図２３】
0003812331.tif 000024
【図２４】
0003812331.tif 000025
【図２５】
0003812331.tif 000026
【図２６】
0003812331.tif 000027
【図２７】
0003812331.tif 000028